【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  文章を表示する表示部と、
見出し語とその意味内容からなる辞書を記憶した辞書記憶部と、
特定の文字および記号を予め記憶した特定文字記憶部と、
前記表示部に表示された文章の中から所望の文字列の選択の指示を入力する入力部と、
前記入力部から指示されることにより、選択された文字列を記憶する選択文字列記憶部と、
前記選択文字列記憶部に記憶された文字列の中に、前記特定文字記憶部に記憶された文字または記号があるかどうか判断し、その特定の文字または記号がある場合、その文字または記号を除いた文字列を抽出する文字列抽出部と、
前記文字列抽出部で抽出された文字列を前記見出し語の検索に用いられる検索文字列として記憶する検索文字列記憶部と、
前記検索文字列記憶部に記憶された検索文字列に対応する前記辞書記憶部の辞書の見出し語を検索する検索部と、
前記検索部で検索された見出し語に対応した意味内容を前記表示部に表示する制御部とを備えたことを特徴とする情報処理装置。
【請求項２】  文章を表示する表示部と、
見出し語とその意味内容からなる辞書を記憶した辞書記憶部と、
特定の文字および記号を予め記憶した特定文字記憶部と、
前記表示部に表示された文章の中から検索候補とすべき最初の一文字の指示を入力する入力部と、
前記入力部で指示された最初の一文字とそれ以降に存在する文字または記号で構成される文字列を順次選択し、選択された異なる文字数の各文字列を記憶する選択文字列記憶部と、
前記選択文字列記憶部に記憶された各文字列の中に、前記特定文字記憶部に記憶された文字または記号があるかどうか判断し、その特定の文字または記号がある場合、その文字または記号を除いた文字列を抽出する文字列抽出部と、
前記文字列抽出部で抽出された文字列を前記見出し語の検索に用いられる検索文字列として記憶する検索文字列記憶部と、
前記検索文字列記憶部の検索文字列に対応する前記辞書記憶部の辞書の見出し語を検索する検索部と、
前記検索部で検索された見出し語の候補を記憶する検索候補見出し語記憶部と、
前記検索候補見出し語記憶部に記憶されている見出し語を前記表示部に表示し、
表示された見出し語の中から選択された見出し語の意味内容を表示する制御部とを備えたことを特徴とする情報処理装置。
【請求項３】  前記文字列抽出部は、前記選択文字列記憶部に記憶された文字列から、前記特定文字記憶部に記憶されている文字または記号に挟まれた文字列を削除した検索文字列を抽出することを特徴とする請求項１または請求項２の情報処理装置。
【請求項４】  前記特定文字記憶部に記憶されている特定の文字および記号をユーザが設定することできる設定部を備えたことを特徴とする請求項１または請求項２の情報処理装置。
【請求項５】  コンピュータに、
文章を表示する表示機能と、
見出し語とその意味内容からなる辞書を記憶した辞書記憶機能と、
特定の文字および記号を予め記憶した特定文字記憶機能と、
表示された文章の中から所望の文字列の選択の指示を入力させる入力機能と、
前記入力機能から指示されることにより、選択された文字列を記憶する選択文字列記憶機能と、
前記選択文字列記憶機能によって記憶された文字列の中に、前記特定文字記憶機能に記憶された文字または記号があるかどうか判断し、その特定の文字または記号がある場合、その文字または記号を除いた文字列を抽出する文字列抽出機能と、
前記文字列抽出機能で抽出された文字列を前記見出し語の検索に用いられる検索文字列として記憶する検索文字列記憶機能と、
前記検索文字列記憶機能に記憶された検索文字列に対応する前記辞書記憶機能の辞書の見出し語を検索する検索機能と、
前記検索機能で検索された見出し語に対応した意味内容を表示する制御機能とを実現させるための情報処理装置のプログラム。
【請求項６】  コンピュータに、
文章を表示する表示機能と、
見出し語とその意味内容からなる辞書を記憶した辞書記憶機能と、
特定の文字および記号を予め記憶した特定文字記憶機能と、
前記表示された文章の中から検索候補とすべき最初の一文字の指示を入力する入力機能と、
前記入力機能で指示された最初の一文字とそれ以降に存在する文字または記号で構成される文字列を順次選択し、選択された異なる文字数の各文字列を記憶する選択文字列記憶機能と、
前記選択文字列記憶機能に記憶された各文字列の中に、前記特定文字記憶機能に記憶された文字または記号があるかどうか判断し、その特定の文字または記号がある場合、その文字または記号を除いた文字列を抽出する文字列抽出機能と、
前記文字列抽出機能で抽出された文字列を前記見出し語の検索に用いられる検索文字列として記憶する検索文字列記憶機能と、
前記検索文字列記憶機能の検索文字列に対応する前記辞書記憶機能の辞書の見出し語を検索する検索機能と、
前記検索機能で検索された見出し語の候補を記憶する検索候補見出し語記憶機能と、
前記検索候補見出し語記憶部機能に記憶されている見出し語を前記表示機能に表示し、
表示された見出し語の中から選択された見出し語の意味内容を表示する制御機能とを実現させるための情報処理装置のプログラム。
【請求項７】  前記文字列抽出機能は、前記選択文字列記憶機能に記憶された文字列から、前記特定文字記憶機能に記憶されている文字または記号に挟まれた文字列を削除した検索文字列を抽出することを特徴とする請求項５または請求項６の情報処理装置のプログラム。
【手続補正２】
【補正対象書類名】明細書
【補正対象項目名】００１１
【補正方法】変更
【補正の内容】
【００１１】
【課題を解決するための手段】
この発明は、文章を表示する表示部と、見出し語とその意味内容からなる辞書を記憶した辞書記憶部と、特定の文字および記号を予め記憶した特定文字記憶部と、前記表示部に表示された文章の中から所望の文字列の選択の指示を入力する入力部と、前記入力部から指示されることにより、選択された文字列を記憶する選択文字列記憶部と、前記選択文字列記憶部に記憶された文字列の中に、前記特定文字記憶部に記憶された文字または記号があるかどうか判断し、その特定の文字または記号がある場合、その文字または記号を除いた文字列を抽出する文字列抽出部と、前記文字列抽出部で抽出された文字列を前記見出し語の検索に用いられる検索文字列として記憶する検索文字列記憶部と、前記検索文字列記憶部に記憶された検索文字列に対応する前記辞書記憶部の辞書の見出し語を検索する検索部と、前記検索部で検索された見出し語に対応した意味内容を前記表示部に表示する制御部とを備えたことを特徴とする情報処理装置を提供するものである。
これによれば、辞書の見出し語に現れることのない文字や記号が含まれる文章でも、容易な操作で所望の文字列の辞書検索が可能となり、辞書検索時の利用者の操作性を向上できる。
【手続補正３】
【補正対象書類名】明細書
【補正対象項目名】００１２
【補正方法】変更
【補正の内容】
【００１２】
この発明の各機能ブロックは、ＣＰＵを中心として、ＲＡＭ、ＲＯＭ、タイマー、Ｉ／Ｏコントローラ等からなるマイクロコンピュータにより構成できる。
また、これらの各部の機能は、ＲＡＭ、ＲＯＭ等のメモリに記載されたプログラムとプログラムに基づいて動作するハードウェアとによって実現される。
プログラムは、ＲＡＭ、ＲＯＭ等の半導体メモリに記憶される場合の他、ＦＤ、ＨＤ、ＭＤ、ＣＤ−ＲＯＭ、ＤＶＤ−ＲＯＭ、ＩＣカード、などの種々の記録媒体に格納された形態で提供できる。
また、電気通信回路を通した通信により、遠隔地のサーバからダウンロードする形態でも提供できる。
【手続補正４】
【補正対象書類名】明細書
【補正対象項目名】００１５
【補正方法】変更
【補正の内容】
【００１５】
また、この発明は、文章を表示する表示部と、見出し語とその意味内容からなる辞書を記憶した辞書記憶部と、特定の文字および記号を予め記憶した特定文字記憶部と、前記表示部に表示された文章の中から検索候補とすべき最初の一文字の指示を入力する入力部と、前記入力部で指示された最初の一文字とそれ以降に存在する文字または記号で構成される文字列を順次選択し、選択された異なる文字数の各文字列を記憶する選択文字列記憶部と、前記選択文字列記憶部に記憶された各文字列の中に、前記特定文字記憶部に記憶された文字または記号があるかどうか判断し、その特定の文字または記号がある場合、その文字または記号を除いた文字列を抽出する文字列抽出部と、前記文字列抽出部で抽出された文字列を前記見出し語の検索に用いられる検索文字列として記憶する検索文字列記憶部と、前記検索文字列記憶部の検索文字列に対応する前記辞書記憶部の辞書の見出し語を検索する検索部と、前記検索部で検索された見出し語の候補を記憶する検索候補見出し語記憶部と、前記検索候補見出し語記憶部に記憶されている見出し語を前記表示部に表示し、表示された見出し語の中から選択された見出し語の意味内容を表示する制御部とを備えたことを特徴とする情報処理装置を提供するものである。
【手続補正５】
【補正対象書類名】明細書
【補正対象項目名】００１６
【補正方法】変更
【補正の内容】
【００１６】
さらに、前記文字列抽出部は、前記選択文字列記憶部に記憶された文字列から、前記特定文字記憶部に記憶されている文字または記号に挟まれた文字列を削除した検索文字列を抽出することを特徴とする。
また、この発明は、前記特定文字記憶部に記憶されている特定の文字および記号をユーザが設定することできる設定部を備えたことを特徴とする情報処理装置を提供するものである。
【手続補正６】
【補正対象書類名】明細書
【補正対象項目名】００１９
【補正方法】変更
【補正の内容】
【００１９】
また、この発明は、コンピュータに、文章を表示する表示機能と、見出し語とその意味内容からなる辞書を記憶した辞書記憶機能と、特定の文字および記号を予め記憶した特定文字記憶機能と、前記表示された文章の中から所望の文字列の選択の指示を入力させる入力機能と、前記入力機能から指示されることにより、選択された文字列を記憶する選択文字列記憶機能と、前記選択文字列記憶機能によって記憶された文字列の中に、前記特定文字記憶機能に記憶された文字または記号があるかどうか判断し、その特定の文字または記号がある場合、その文字または記号を除いた文字列を抽出する文字列抽出機能と、前記文字列抽出機能で抽出された文字列を前記見出し語の検索に用いられる検索文字列として記憶する検索文字列記憶機能と、前記検索文字列記憶機能に記憶された検索文字列に対応する前記辞書記憶機能の辞書の見出し語を検索する検索機能と、前記検索機能で検索された見出し語に対応した意味内容を表示する制御機能とを実現させるための情報処理装置のプログラムを提供するものである。
さらに、この発明は、コンピュータに、文章を表示する表示機能と、見出し語とその意味内容からなる辞書を記憶した辞書記憶機能と、特定の文字および記号を予め記憶した特定文字記憶機能と、前記表示された文章の中から検索候補とすべき最初の一文字の指示を入力する入力機能と、前記入力機能で指示された最初の一文字とそれ以降に存在する文字または記号で構成される文字列を順次選択し、選択された異なる文字数の各文字列を記憶する選択文字列記憶機能と、前記選択文字列記憶機能に記憶された各文字列の中に、前記特定文字記憶機能に記憶された文字または記号があるかどうか判断し、その特定の文字または記号がある場合、その文字または記号を除いた文字列を抽出する文字列抽出機能と、前記文字列抽出機能で抽出された文字列を前記見出し語の検索に用いられる検索文字列として記憶する検索文字列記憶機能と、前記検索文字列記憶機能の検索文字列に対応する前記辞書記憶機能の辞書の見出し語を検索する検索機能と、前記検索機能で検索された見出し語の候補を記憶する検索候補見出し語記憶機能と、前記検索候補見出し語記憶部機能に記憶されている見出し語を前記表示機能に表示し、表示された見出し語の中から選択された見出し語の意味内容を表示する制御機能とを実現させるための情報処理装置のプログラムを提供するものである。
さらに、本発明のプログラムの文字列抽出機能は、前記選択文字列記憶機能に記憶された文字列から、前記特定文字記憶機能に記憶されている文字または記号に挟まれた文字列を削除した検索文字列を抽出することを特徴とする。
プログラムは、ＦＤ、ＨＤ、ＣＤ−ＲＯＭ、ＤＶＤ−ＲＯＭ等の記録媒体に格納された形態や、電気通信回線を介してそのプログラムが格納されたサーバからダウンロードする形態で提供され、実行時には主記録に実行可能な形式で読み出される。